(57)【要約】【課題】本発明は眼鏡の所在を探すとき、使用者が所持する送信装置を操作することにより、予め当該の眼鏡等に装着している受信装置から受信音及び光を発生させることにより眼鏡の所在を認識できる眼鏡探知装置を提供する。【解決手段】眼鏡の一部に装着可能な音波信号を受信する小型マイク４（スピーカ兼用）とこの小型マイクの出力により光および音波を発生する制御部３とこの制御部によって光および音波を発生する発光素子５及びスピーカ４（マイク兼用）とこの制御部３及び発光素子５及びスピーカ４（マイク兼用）にエネルギーを供給する小型電池６を組み込んだ受信装置と眼鏡に向けて探知音波新号を発信できる送信装置を別体に設けた。【選択図】図１
2011027697.tif 000002
【特許請求の範囲】
【請求項１】
眼鏡の一部に脱着可能な匡体に探知用信号音波を受信する受信手段と前記信号受信手段の出力により光および音波を発生する応答信号発生手段と前記信号受信手段及び応答信号発生手段にエネルギーを供給する電源手段とを組み込んだ受信装置と前記受信装置に向けて探知用信号音波を発生させる笛を設けたことを特徴とする眼鏡所在探知装置。
【請求項２】
ネックチェーン等の眼鏡保持具の一部に脱着可能な請求項１記載の眼鏡所在探知装置。
【請求項３】
眼鏡ケース等の眼鏡保管具の一部に脱着可能な請求項１記載の眼鏡所在探知装置。
【請求項４】
探知用信号音波を発生させる笛の代替えとして口笛の音波信号で動作可能な請求項１記載の眼鏡所在探知装置。
【発明の詳細な説明】
【技術分野】
【０００１】本発明は眼鏡や眼鏡保管具の所在が不明の場合、その所在を知らせる方法に関する。
【背景技術】
【０００２】従来、家庭で探しの対象となる眼鏡または眼鏡保管具が置き場所の忘れや、他人の整理により、何処に置かれているか不明な場合、これを捜し出すのに手間がかかり、不便であったが、これを迅速に解決する手段はとられていない。【０００３】従来のこのような対策として、眼鏡の本体の一部に探知用受信装置を組み込み、眼鏡にむけて探知信号を発信可能な別装置を組み合わせた装置が考案されている。（たとえば特許文献１参照）
【特許文献１】特開２０００−２０７６５５号公報
【発明の開示】
【発明が解決しようとする課題】
【０００４】しかしながら、これらの装置は利用方法を考えた場合、次のような不都合がある。
探知用受信装置は眼鏡本体に組み込まれているため、すでに使用中の眼鏡に適用するためには、眼鏡フレームを探知用受信機が内蔵されたものとの交換が必要になる問題点があった。
また、複数の眼鏡を使用場所（自宅とその他等）により使い分けている場合、複数の探知用受信機が組み込まれた眼鏡を用意することとなり、不経済である等、広く普及させるためには課題が多くあった。【０００５】従来、探知用送信信号（電波、超音波）の発生手段としての送信装置は、電池エネルギーを必要とする送信手段であったため、製品価格も高く、また、送信装置の所在が不明となった場合は、眼鏡所在の探知が機能しなくなるという問題点があった。
【課題を解決しようとするための手段】
【０００６】上記課題を解決するために、本発明の目的は従来の眼鏡に受信装置が簡単に装着でき、また、使用する眼鏡が変更になっても、簡単に付け替えが可能な装置を提供することである。
送信装置についても、電池エネルギーが不要で運用コストがかからず、製造コストも低いものを提供することである。
【０００７】上記の目的を達成するために、本発明に係る受信装置は、眼鏡本体または、眼鏡保持具及び眼鏡保管具に簡単に装着できる形態とし、送信装置としては、簡単な構造の笛または、人間の口笛で代替え可能な機能を具備する。
【発明の効果】
【０００８】以上詳述したように、請求項１記載の発明によれば眼鏡所有者が当該眼鏡を探す場合、送信装置より探知音波信号を送れば、非常に遠くにある場合を除いて、眼鏡に装着した受信装置が応答してくれるため、容易に当該眼鏡の所在を探し出すことができる。
【０００９】さらに請求項２に記載の発明によれば、眼鏡本体に受信装置を装着したときの眼鏡本体の大きさの増大を回避でき、受信装置の形体により、アクセサリー的な要素も持たせることができるため、デザイン的な自由度が大きくなり、装置としての実施形態の検討が容易になる。
【００１０】また請求項３に記載の発明によれば、眼鏡本体を眼鏡保管具に入れた場合も所在探知が可能となり、眼鏡探知の機能が拡大出来る。
【００１１】請求項４に記載の発明によれば、送信装置の代替えとして、口笛での探知が可能となるため、送信装置が見つからない時の、非常手段とすることが可能となる。
【発明を実施するための最良の形態】
【００１２】以下に、本発明の実施形態を図面に基づいて説明する。
図１は、本発明の一実施形態を示す受信装置を装着した眼鏡の斜視図
図２は、図１の眼鏡の一部拡大図
図３は、受信装置の眼鏡本体への装着方法例
図４は、本発明の送信装置の斜視図
図５は、送信装置の携帯例
図６は、本発明の受信装置の回路構成図
図７は、受信装置の眼鏡チェーン装着例
図８は、受信装置の眼鏡ケース装着例
以下、本発明に係わる眼鏡検知装置の実施形態を図を用いて説明する。
図１は本発明の実施の形態を示す眼鏡本体への受信装置の装着状態の全体像である。図２は図１のつるの部分拡大図であり、本発明の第１の実施例を示している。図３は眼鏡本体への受信装置の装着方法例である。受信装置２には、眼鏡装着用の穴７が設けられており、眼鏡のつるの部分を挿入することにより、眼鏡に装着することができる構造となっている。
図４は本発明の送信装置の実施例である笛の斜視図である。図４は使用者が携帯する方法の１つとして、ネックストラップを利用した携帯例である。
このようなネックストラップ等を使用することにより、送信装置の所在を明確にすることが可能となる。
図１はよく知られた眼鏡１が示されている。その左側のつるの部分に本発明の受信装置が装着されている。
その詳細を図２を基に説明する。【００１３】  図２では探知音波信号を検知するためのマイク４（スピーカ兼用）、その音波信号を受けてスピーカ４（マイク兼用）を駆動する制御回路３、およびこれらのデバイスに電力を供給するための小型電池６が図示されたように配置される。さらにスピーカと並列にＬＥＤ等の省電力型の発光素子５が受信装置先端に配置されている。これらのデバイスは図示しない配線で互いに結ばれているものとする。なお、本実施例では、装置小型化のため、スピーカとマイクを１つの構成要素として記載したが、それぞれ別の構成要素としてもよい。【００１４】  図４は、本発明で送信装置として使用する探知音波信号を発生させる笛８である。笛は吹き口に操作者が息を吹き込むことにより、本発明で使用する受信装置が受信できる周波数の音波を発生するが、使用者の吹き方の強弱により、その周波数も上下する。いろいろな吹き方での使用において、受信装置の動作を確実にするため、笛には複数の音程調整用穴１４が設けられており、確実に動作する操作を操作者が選択することが可能となっている。【００１５】  図を用いて、その動作について述べれば、使用者が眼鏡を置き忘れて探そうとする場合、送信装置の笛８を吹いて、探知音波信号を発信すると、その音波が眼鏡に装着された受信装置のマイク４（スピーカ兼用）によって受信され、制御部はこの信号を検知して、スピーカ４（マイク兼用）を鳴動させる。同時に受信装置先端の発光素子が明滅するので、これによって使用者は探していた眼鏡の在り処を容易に知ることができる。【００１６】  図７は本発明の受信装置を眼鏡保持具の１つである眼鏡チェーンに装着した例である。動作の内容は前記と同様であるが、受信装置を眼鏡のつるに装着する場合とくらべて、装置の大きさの制約が少なくなり、いろいろなデザインでの実施が可能となる。【００１７】  図７は本発明の受信装置を眼鏡保持具の１つである眼鏡ケースの外側に装着した実施例であり、眼鏡をケースに格納したまま、所在が不明となった場合も、前記と同様の動作で眼鏡ケースの探知が可能となる。
受信装置の装着を眼鏡本体及び眼鏡ケースの両方に装着することにより、眼鏡の放置状態にかかわらず、探知が可能となる。
【産業上の利用可能性】
【図面の簡単な説明】
【００１８】
【図１】  本発明の一実施例を示す受信装置を装着した眼鏡の斜視図
【図２】  図１の眼鏡の一部拡大図
【図３】  受信装置の眼鏡本体への装着方法例
【図４】  本発明の送信装置の斜視図
【図５】  送信装置の携帯例
【図６】  本発明の受信装置の回路構成図
【図７】  受信装置の眼鏡チェーン装着例
【図８】  受信装置の眼鏡ケース装着例
【符号の説明】
【００１９】１  眼鏡本体
２  受信装置
３  制御部
４  スピーカ兼マイク
５  発光素子（ＬＥＤ）
６  電池
７  眼鏡装着用穴
８  送信装置（笛）
９  ストラップ用穴
１０  吹き口
１１  ネックストラップ
１２  眼鏡チェーン
１３  眼鏡ケース
１４  音程調整用穴
【図１】
2011027697.tif 000003
【図２】
2011027697.tif 000004
【図３】
2011027697.tif 000005
【図４】
2011027697.tif 000006
【図５】
2011027697.tif 000007
【図６】
2011027697.tif 000008
【図７】
2011027697.tif 000009
【図８】
2011027697.tif 000010